(57)【要約】【課題】部品点数，組立工数の削減化と併せて、レールへの着脱もワンタッチ操作で簡単に行えるように改良した電気機器のレール取付け構造を提供する。【解決手段】電気機器１の筐体底面にレール２を挟んでその両側に対峙する庇状の係合突起３，４を形成するとともに、その一方側の係合突起４に対しては該突起と機器筐体の底壁面との間の隙間内方に押し込んで機器筐体に係止支持したＷ形状の線バネ５を設け、該線バネの撓みバネ力で機器筐体をレールに係止固定するようにし、線バネの支持手段として、機器筐体の底面側に線バネの両端部を保持するバネ受部７，およびレール圧入部材を兼ねた線バネ掛止用の凸状段部６を設け、ここに線バネを押し込むだけで簡単に機器筐体に組み付けられるようにする。【選択図】        図１
2005276884.tif 000002
【特許請求の範囲】
【請求項１】
機器筐体をＵチャンネル状レールの上にまたがって係止する電気機器の取付け構造であって、機器筐体の底面に前記レールを挟んでその両側に対峙する庇状の係合突起を形成するとともに、その一方側の係合突起に対しては該突起と機器筐体の底壁面との間の隙間内方に押し込んで機器筐体に係止支持したＵないしＷ形状の線バネを設け、該線バネの撓みバネ力でレールに嵌着した機器筐体をその位置に掛止保持することを特徴とする電気機器のレール取付け構造。
【請求項２】
請求項１記載のレール取付け構造において、前記線バネを機器筐体に係止支持する手段として、機器筐体の底面側に線バネの両端部を保持するバネ受部，およびレール圧入部材を兼ねた線バネ掛止用の凸状段部を設けたことを特徴とする電気機器のレール取付け構造。
【発明の詳細な説明】
【技術分野】
【０００１】
本発明は、配線用回路遮断器，電磁接触器などの電気機器を配電盤などの盤内に敷設したレールに装着するための電気機器のレール取付け構造に関する。
【背景技術】
【０００２】
周知のように、頭記の電気機器を盤内に敷設したＵ字チャンネル状のレールにまたがって装着するために、機器筐体の底面側にレールを挟んで対峙する係合突起（爪）を設け、かつその一方の係合突起をスライダ構造として、該スライダを線バネ，あるいは圧縮コイルばねでレールとの係合方向に付勢するようにした構成のものが知られている（例えば、特許文献１，特許文献２参照）。
【特許文献１】特開平６−１２４６４４号公報
【特許文献２】特開平９−６９３３０号公報
【発明の開示】
【発明が解決しようとする課題】
【０００３】
ところで、前記した従来の取付け構造は製作コストの面で次記のような問題点がある。すなわち、機器筐体の底面側に設けた係合突起の一方をスライダ（可動部品）として筐体に組み付けるようにしているために、部品点数も多く必要として構造が複雑化するほか、人手作業によるバネ部材の組み込みを含めた組立工数も多くなって製品がコスト高となる。また、レールに装着した電気機器を取り外す際には、工具を使ってスライダとレールとの係合を釈放する操作を要するなどその取扱性にも問題がある。
本発明は上記の点に鑑みなされたものであり、その目的は前記課題を解決し、少ない部品点数，組立工数で簡単に組立てることができ、しかもレールへの着脱もワンタッチ操作で簡単に行えるように改良した電気機器のレール取付け構造を提供することにある。
【課題を解決するための手段】
【０００４】
上記目的を達成するために、本発明によれば、機器筐体の底面にレールを挟んでその両側に対峙する庇状の係合突起を形成するとともに、その一方側の係合突起に対しては該突起と機器筐体の底壁面との間の隙間内方に押し込んで機器筐体に係止支持したＵないしＷ字に成形した線バネを設け、該線バネの撓みバネ力でレールに嵌着した機器筐体をその位置に掛止保持するように構成するものとし（請求項１）、前記線バネを機器筐体に係止支持する手段として、機器筐体の底面側に線バネの両端部を保持するバネ受部，およびレール圧入部材を兼ねた線バネ掛止用の凸状段部を設けるものとする（請求項２）。
【発明の効果】
【０００５】
上記構成の取付け構造では、従来構造におけるスライダの可動部品がなく、機器筐体（樹脂成形品）に一体成形した係合突起の一方側に対し、あらかじめＵ字あるいはＷ字状に曲げ加工した線バネ部品を組み付けるだけで組立が完了する。しかも、この組み付け作業は、機器筐体の底面側に形成した庇状の係合突起と筐体の底面壁との間の隙間に線バネを押し込んで筐体に係止保持させるだけでよく、また線バネの脱落防止手段として筐体裏面に線バネの両端を保持するバネ受部，および線バネを若干撓ませた状態でその長手方向の中間部分を掛止する凸状段部を形成したことにより、簡単な手作業で線バネを所定位置に組み付けることができる。これにより、従来構造と比べて部品点数，組立工数が少なくて済み、また線バネの組み付け作業も人手作業によらずに自動機械組立に十分対応できて製品コストの低減化が図れる。
【０００６】
また、電気機器をレールに装着した状態では、レールが前記した庇状の係合突起と凸状段部との間に圧入されてガタつきを防止し、またレールから取り外す際には、工具を使わずに機器筐体を手に持って線バネを撓ませる方向に荷重を加えることで、係合突起をレールから簡単に釈放して取り外すことができる。
【発明を実施するための最良の形態】
【０００７】
以下、本発明の実施の形態を図１〜図３に示す実施例に基づいて説明する。図において、１は電磁接触器，配線用遮断器などの電気機器、２はＵチャンネル状の支持レールであり、樹脂成形品になる機器筐体の底面側にはレール２を挟んでその左右両側に対峙するよう内方に向けて庇状に突き出した係合突起３，４が二箇所に分散して一体成形されている。また、一方（図示の左側）の係合突起４に対しては、該係合突起４と筐体の底面壁との間の隙間に線バネ５を介挿し、この線バネを後記のように筐体に係止保持するようにしている。
すなわち、線バネ５は、線径０．５〜１．５mmφのピアノ線材を図示例のＷ字形，あるいはＵ字形に曲げ加工したものである。一方、機器筐体の底部側には前記係合突起４と筐体底面との間の隙間に押し込んだ線バネ５を多少撓ませた状態で係止保持する脱落防止用の凸状段部６，および線バネ５の両端を嵌合保持する庇状のバネ受部７が一体成形されている。ここで、前記凸状段部６は、レール２の圧入部材を兼ねていて、係合突起４の先端部分と対峙するように二箇所に分散形成されており、かつその凸面は筐体の中央側に向けて低くなるようにテーパ面を呈している。
【０００８】
そして、図１に示すレール２への装着状態では、Ｕチャンネル状レール２の左右側縁２ａが機器筐体の底面に形成した係合突起３，４と係合し、さらに前記線バネ５の撓みバネ力がレール２の側縁端面を押圧して筐体が装着位置から動かないように保持している。またこの状態でレール２の側縁２ａが係合突起４と凸状段部６との間に圧入され、その摩擦力でガタつきを抑止する。
次に、線バネ５を電気機器１の筐体に組み付ける方法を図２，図３で説明する。まず、図２（ａ），（ｂ）で示すように線バネ５を機器筐体の底壁に沿ってスライドさせながら矢印方向に係合突起４の裏側に挿入する。ここから線バネ５をさらに押し込むと、図３（ａ），（ｂ）のように線バネ５の両端がバネ受７に嵌合するとともに、線バネ５の中央二箇所（Ｗ形状の中央側湾曲部）が前記凸状段部６のテーパ面を乗り越え、多少撓んだ状態で凸状段部６の内側に掛止保持され、これで線バネ５の組み付け作業が完了する。
【０００９】
そして、電気機器１を盤内に敷設されているレール２に装着する際には、最初に係合突起４をレール２の側縁２ａに引っ掛け、続いて機器筐体全体に荷重を加えて線バネ５を撓ませながら機器筐体をレール２に押しつけてレール側縁２ａを係合突起４と凸状段部５との間の隙間に圧入するとともに、他方の係合突起３をレール２の反対側の側縁２ａに係合させる。この状態で機器筐体から手を離すと、線バネ５のバネ力で機器筐体がレール２に係止固定される。また、電気機器１をレール２から取り外す場合に工具は必要なく、機器筐体を手で掴み、前記と逆な手順で線バネ５を撓ませながら機器筐体をレール２の片側に寄せて係合突起３をレールから外した後、筐体を反対側に引き寄せることで係合突起４を解除してレール２から取り外すことができる。
【図面の簡単な説明】
【００１０】
【図１】本発明実施例の構成図で、（ａ），（ｂ）はそれぞれ電気機器をレールに装着した状態を表す側面図，および底面図、（ｃ）は（ａ）におけるＡ部分の拡大図
【図２】図１における線バネの組み付け作業の手順説明図で、（ａ），（ｂ）はそれぞれ機器筐体の底面図，および要部の側面図
【図３】図２の手順により線バネを機器筐体に組み付けた状態を表す図で、（ａ），（ｂ）はそれぞれ機器筐体の底面図，および要部の側面図
【符号の説明】
【００１１】
１    電気機器
２    レール
３，４  係合突起
５    線バネ
６    凸状段部
７    バネ受部
【図１】
2005276884.tif 000003
【図２】
2005276884.tif 000004
【図３】
2005276884.tif 000005